(57)【要約】      （修正有）【課題】  電子機器を容易に固定することができる収納ケースを提供する。【解決手段】  電子機器を収納する収納部１００と、電子機器Ｐ１を挿入するために収納部に備えられた開口部を覆うことができる蓋部材と、収納部の内部に備えられた少なくとも一つのベルト部材３００と、を有し、ベルト部材の一端が電子機器の挿入方向と平行な収納部の第１の内面に固定されると共にベルト部材の他端が第１の内面に対向する第２の内面に固定されることにより、ベルト部材の一部分が収納部内で挿入方向に垂直な位置決め面として形成され、収納部の開口部に対向する底部または蓋部材のいずれか一方と位置決め面とにより電子機器が固定されることを特徴とする収納ケースを提供する。【選択図】  図２
2007209653.tif 000002
【特許請求の範囲】
【請求項１】
電子機器を収納する収納部と、
電子機器を挿入するために前記収納部に備えられた開口部を覆うことができる蓋部材と、
前記収納部の内部に備えられた少なくとも一つのベルト部材と、を有し、
前記ベルト部材の一端が電子機器の挿入方向と平行な前記収納部の第１の内面に固定されると共に前記ベルト部材の他端が前記第１の内面に対向する第２の内面に固定されることにより、前記ベルト部材の一部分が前記収納部内で前記挿入方向に垂直な位置決め面として形成され、
前記収納部の開口部に対向する底部または前記蓋部材のいずれか一方と前記位置決め面とにより電子機器が固定されることを特徴とする収納ケース。
【請求項２】
前記ベルト部材の一端は前記第１の内面の所定の位置に着脱不可に固定され、前記ベルト部材の他端は前記第２の内面に着脱可能に固定されることにより、前記位置決め面の前記挿入方向の位置を調整可能であることを特徴とする請求項１に記載の収納ケース。
【請求項３】
前記収納部の前記第１の内面を有する側壁部には、前記開口部から切り欠かれた切り欠き部が形成されていることを特徴とする請求項１または２に記載の収納ケース。
【請求項４】
前記ベルト部材の一端は前記切り欠き部の底部近傍に固定されることを特徴とする請求項３に記載の収納ケース。
【請求項５】
前記ベルト部材を２本有し、
一方のベルト部材の一端は、前記第１の内面のうち、前記切り欠き部が形成されている位置よりも前記電子機器の挿入方向に直交する方向において外側に固定され、
他方のベルト部材の一端は、前記第１の内面のうち、前記切り欠き部が形成されている位置よりも前記電子機器の挿入方向に直交する方向において外側であって前記一方のベルト部材の一端が固定された位置とは反対側に固定されることを特徴とする請求項３に記載の収納ケース。
【請求項６】
前記切り欠き部は、電子機器のディスプレイが前記収納部の外部に露出するように形成されていることを特徴とする請求項３から５のいずれかに記載の収納ケース。
【請求項７】
前記ベルト部材の他端は、電子機器を固定した状態で、電子機器よりも前記収納部上側に突出することを特徴とする請求項１から６のいずれかに記載の収納ケース。
【請求項８】
前記ベルト部材の両面が面ファスナーの機能を有し、前記収納部の内部において、少なくとも前記第２の内面は前記面ファスナーが係合可能な面であることを特徴とする請求項１から７のいずれかに記載の収納ケース。
【請求項９】
前記蓋部材の裏面の少なくとも一部と、前記収納部の外側の少なくとも一部に一対の蓋部用面ファスナーが形成されており、それらが係合した状態で、前記蓋部材が閉められた状態で電子機器が固定可能であることを特徴とする請求項１から８のいずれかに記載の収納ケース。
【発明の詳細な説明】
【技術分野】
【０００１】
この発明は、電子機器を収納するための収納ケースに関する。
【背景技術】
【０００２】
ＰＣ、ＰＤＡ、携帯電話、ポータブルプレーヤ、デジタルカメラ、ゲーム機等の携帯可能な電子機器を収納すると共に様々な機能を有するケースが開発されている。
【０００３】
例えば、特許文献１に記載の携帯電話飛び出し鞄は、収納部内の内容物（携帯電話）を取り出しやすいように内容物の下側に配置したベルトで内容物を持ち上げる構成を有している。また、例えば、特許文献２に記載のＰＤＡ用カバーは、金具を用いて内容物（ＰＤＡ）を固定する機能を有している。
【０００４】
【特許文献１】実用登録３０５１８６３号公報
【特許文献２】特開平９−２８２２８４号公報
【発明の開示】
【発明が解決しようとする課題】
【０００５】
電子機器を収納するケースには、電子機器の出し入れのしやすさと、電子機器をしっかり固定すること等が要求される。しかしながら、特許文献１の鞄では、電子機器の取り出しやすさはあるものの、収納部内で内容物が固定されない。また、特許文献２に記載のＰＤＡ用カバーは、内容物は専用の金具によって固定されるものの、金具が取り付かないタイプの内容物については依然固定することができないという問題点が残る。
【０００６】
本発明は、上記のような問題点に鑑みてなされたものであり、電子機器を容易に固定することができる収納ケースを提供することを目的とする。
【課題を解決するための手段】
【０００７】
上記の課題を解決するため、本発明では、電子機器を収納する収納部と、電子機器を挿入するために収納部に備えられた開口部を覆うことができる蓋部材と、収納部の内部に備えられた少なくとも一つのベルト部材と、を有し、ベルト部材の一端が電子機器の挿入方向と平行な収納部の第１の内面に固定されると共にベルト部材の他端が第１の内面に対向する第２の内面に固定されることにより、ベルト部材の一部分が収納部内で挿入方向に垂直な位置決め面として形成され、収納部の開口部に対向する底部または蓋部材のいずれか一方と位置決め面とにより電子機器が固定されることを特徴とする収納ケースを提供する。
【０００８】
したがって、本発明に係る収納ケースは、ケースに電子機器を収納した後に、ベルト部材により電子機器の上部または下部を固定することができる。ベルト部材に形成される位置決め面は、電子機器のサイズに応じて、位置を変化させることができる。したがって、様々なサイズの電子機器を容易に固定可能である。
【０００９】
また、本発明に係る収納ケースでは、ベルト部材の一端は第１の内面の所定の位置に着脱不可に固定され、ベルト部材の他端は第２の内面に着脱可能に固定されることにより、位置決め面の挿入方向の位置を調整可能であることを特徴とする。このような構成により、ベルト部材の他端の固定位置を決めるのみで、電子機器を固定することができるので、容易に電子機器を固定することができる。
【００１０】
また、収納部の第１の内面を有する側壁部には、開口部から切り欠かれた切り欠き部が形成されていることを特徴とする。さらに、ベルト部材の一端は切り欠き部の底部近傍に固定されることを特徴とする。また、ベルト部材を２本有し、一方のベルト部材の一端は、第１の内面のうち、切り欠き部が形成されている位置よりも前記電子機器の挿入方向に直交する方向において外側に固定され、他方のベルト部材の一端は、第１の内面のうち、切り欠き部が形成されている位置よりも電子機器の挿入方向に直交する方向において外側であって一方のベルト部材の一端が固定された位置とは反対側に固定されることを特徴とする。また、切り欠き部は、電子機器のディスプレイが収納部の外部に露出するように形成されていることを特徴とする。
【００１１】
また、ベルト部材の他端は、電子機器を固定した状態で、電子機器よりも収納部上側に突出することを特徴とする。
【００１２】
また、ベルト部材の両面が面ファスナーの機能を有し、収納部の内部において、少なくとも第２の内面は面ファスナーが係合可能な面であることを特徴とする。
【００１３】
また、蓋部材の裏面の少なくとも一部と、収納部の外側の少なくとも一部に一対の蓋部用面ファスナーが形成されており、それらが係合した状態で、蓋部材が閉められた状態で電子機器が固定可能であることを特徴とする。
【発明の効果】
【００１４】
したがって、本発明では、電子機器を容易に固定することができる収納ケースを提供することができる。
【発明を実施するための最良の形態】
【００１５】
以下、図面を参照して本発明に係る収納ケースについて説明する。
【００１６】
図１は本発明の第一実施形態の収納ケース１の正面図である。収納ケース１は収納部１００と蓋部２００とを有する。図２は収納ケース１の側断面図である（図１のＳ１−Ｓ１断面図）。図３は収納ケース１の蓋部２００を開いた状態を示す正面図である。なお、図２，３は、収納ケース１に比較的大きいＰＤＡ等の電子機器Ｐ１を収納している状態を示す図である。
【００１７】
収納部１００および蓋部２００は主として合成繊維による布、ビニールフィルム、ゴム、人工皮革等、柔軟性のある素材で形成されている。そのような素材を用いることにより、電子機器Ｐ１を外部の衝撃から保護することができる。
【００１８】
収納部１００は上面が開口となっている直方体形状を有している。収納部１００の前面部１００ａには、上部からＵ字型に切り欠かれた切り欠き部１１０が形成されている。切り欠き部１１０は、収納部１００に収納された電子機器Ｐ１の取り出しやすさを考慮して形成されたものである。つまり、収納ケース１の使用者は、蓋部２００を開いた状態で、切り欠き部１１０に露出している電子機器Ｐ１を掴んで取り出すことができる。
【００１９】
また、切り欠き部１１０の幅は電子機器Ｐ１の幅よりも小さく且つ切り欠き部１１０の幅方向両端の前面部１００ａにはマージンが設けられていたほうがよい。すなわち、切り欠き部１１０をそのような形状とすることで収納部１００の形状の安定性を保つことができる。また、切り欠き部１１０の深さは電子機器Ｐ１を掴むことに支障のない程度、或いは収納部１００の長さの半分程度がよい。
【００２０】
また、収納部１００の背面部１００ｂ外側には、フック１５０が設けられている。フック１５０としては、例えば開閉可能な環状のスプリングフック等を用いることができる。フック１５０により、例えば、ズボンや鞄等に収納ケース１を取り付けることができる。
【００２１】
また、前面部１００ａの表面の、切り欠き部１１０のＵ字型底部よりも下方の位置には、前面部１００ａの幅方向（図３中左右方向）に延びるように、蓋部２００を固定するための面ファスナーの一方の面である面ファスナー部１２０が配設されている。
【００２２】
蓋部２００は、収納部１００の背面部１００ｂと一体的に形成されており、蓋部２００を閉めた状態（図１，２に示す状態）で、収納部１００の面ファスナー部１２０に到達する程度の長さとなっている。蓋部２００の先端付近内側には、面ファスナー部１２０と係合可能な面ファスナーの一方の面である面ファスナー部２２０が配設されている。蓋部２００の基端部付近を収納部１００の開口に合わせた状態で、面ファスナー部１２０，２２０を係合させることにより、蓋部２００が閉められた状態となる。
【００２３】
収納部１００の前面部１００ａ内側の、切り欠き部１１０のＵ字型底部よりも下方の位置には、電子機器Ｐ１を固定するためのベルト部材３００の端部３１０が縫い付けられて固定されている（ベルト部材３００は上側に延びるように縫い付けられている）。ベルト部材３００は、両面がそれぞれ面ファスナーの一方の面（ベルト部材３００の両面は同一形状）として形成されている。なお、ベルト部材３００の端部３１０は縫い付けられて固定されているのではなく、例えば前面部１００ａ内側がベルト部材３００の面ファスナーに係合可能な面となっていて、そこに着脱可能に固定されていてもよい。
【００２４】
収納部１００の背面部１００ｂ内側全面は、ベルト部材３００に形成された面ファスナーが係合可能な面（ベルト部材３００の面ファスナーの一方の面に係合可能な面ファスナーを含む）となっている。或いは、収納部１００の背面部１００ｂ内側のうち、背面部１００ｂの幅方向（図３中左右方向）中央部付近にのみベルト部材３００に形成された面ファスナーが係合可能な面となっていてもよい（すなわち、ベルト部材３００が固定可能な位置のみ係合可能となっている）。また、蓋部２００の裏面もベルト部材３００に形成された面ファスナーが係合可能な面となっていてもよい。なお、面ファスナーを含む背面部１００ｂの内側全面は、電子機器Ｐ１を傷つけない程度の柔軟性を備えた素材で構成されている。
【００２５】
ベルト部材３００は、図２に示すように、端部３１０から端部３２０へ向けて、電子機器Ｐ１の前面、上面に沿うように配設された後、背面部１００ｂ内側に沿って折り曲げられる。ベルト部材３００は、端部３２０付近の背面部１００ｂ内側に当接する部分が、面ファスナーの係合により固定される。なお、ベルト部材３００は、電子機器Ｐ１に沿って背面部１００ｂ内側に到達可能な程度の長さを有するものとする。また、ベルト部材３００の幅は、切り欠き部１１０の幅よりも小さいことが好ましい。
【００２６】
上述のような構成により、ベルト部材３００には、電子機器Ｐ１の上面に当接する平面部３３０が形成される。この平面部３３０は、収納部１００内部において上下方向の位置が固定される。したがって、電子機器Ｐ１を平面部３３０と収納部の底面１００ｃとにより挟持して固定することができる。
【００２７】
図４，５は、収納ケース１に比較的小さい電子機器Ｐ２を収納している状態を示す図である。なお、図４，５の観察方向は、それぞれ図２，３に対応するものである。
【００２８】
ベルト部材３００は、端部３１０付近で一度折り返されて電子機器Ｐ２の前面に沿って電子機器Ｐ２の下面に向う。ベルト部材３００は、電子機器Ｐ２の下面において平面部３３０を形成し、その後、収納部１００の背面部１１０ｂ内側に沿って折り曲げられ、背面１１０ｂ内側の上部に向う。ベルト部材３００の端部３２０は、電子機器Ｐ２の上面よりも上に突出するだけの長さがあるほうがよい。
【００２９】
この状態では、ベルト部材３００は、固定されている端部３１０と、背面部１１０ｂ内側と係合されている部位とにより、収納部１００内でしっかりと位置決めされている。したがって、平面部３３０の上下方向の位置も固定される。図４に示すように蓋部２００を閉じた状態では、蓋部２００の裏面と平面部３３０とにより電子機器Ｐ２が挟持されて固定される（なお、蓋部２００と電子機器Ｐ２との間にベルト部材３００が介在する場合があるが、ベルト部材３００の幅は蓋部２００よりも狭いので、且つ蓋部２００は柔軟性があるので、電子機器Ｐ２は蓋部２００と平面部３３０とにより固定されるといえる）。
【００３０】
また、図４，５に示した収納方法では、ベルト部材３００は切り欠き部１１０の位置に現れない。したがって、例えば電子機器Ｐ２の前面に液晶画面がある場合には、電子機器Ｐ２を取り出さなくとも切り欠き部１１０を介してその液晶画面の表示を認識できるといった効果がある。また、収納部１００底面１００ｃ付近には、電子機器Ｐ２との間に空間ができるので、電池等の消耗品を収納する空間として活用できる点が有用である。また、蓋部２００の開放時に、ベルト部材３００の端部３２０を引っ張ることで、電子機器Ｐ２を取り出すこともできる。
【００３１】
図６，７は、収納ケース１に図４，５に示した電子機器Ｐ２よりもさらに小型の電子機器Ｐ３を収納している状態を示す図である。なお、図６，７の観察方向は、それぞれ図２，３に対応するものである。
【００３２】
図６，７に示す状態では、電子機器Ｐ３は収納部１００の底面１００ｃに接するように収納される。また、電子機器Ｐ３の上面はベルト部材３００の端部３１０の固定位置よりも下側に位置する（電子機器の上面が端部３１０よりも上側である場合には図２，３に示すように収納される）。
【００３３】
ベルト部材３００は、端部３１０付近で一度折り返される。その後、電子機器Ｐ３の上面に到達すると、上面に沿うように折り曲げられ、またその後、背面部１００ｂ内側に沿って折り曲げられる。その結果、平面部３３０が電子機器Ｐ３の上面に当接するように形成される。ところで、ベルト部材３００は両面が面ファスナーの一方の面で形成されているものとし説明したが、例えば、その面ファスナーには自身の面同士係合可能な面ファスナーを採用することも可能である。その場合、ベルト部材３００が端部３１０付近で一度折り返されたとき、その折り返し前後の位置においてベルト部材３００の表面同士を係合させることにより、その折り返し位置を固定することが可能となる。
【００３４】
したがって、ベルト部材３００は、収納部１００の前面部１００ａ内側と背面部１００ｂ内側において位置が固定されるので、平面部３３０の位置も固定される。よって、電子機器Ｐ３を、ベルト部材３００の平面部３３０と収納部１００の底面１００ｃとにより挟持して固定することができる。また、このような状態では、電子機器Ｐ３の上面と蓋部２００とにより囲まれる空間を活用できる点が有用である。
【００３５】
図８，９は、本発明の第二実施形態の収納ケース２を示すものである。なお、収納ケース１と同一の部材には同一の符号を付してその説明を省略する。また、図８および図９の観察方向は、それぞれ図２，３と同様である。
【００３６】
収納ケース２の切り欠き部１１０は、収納される電子機器Ｐ４の液晶画面Ｐ４１が露出可能となるように形成されている。また、収納ケース２では、収納部１００の切り欠き部１１０の左右両側にベルト部材３０１，３０１がそれぞれ配設されている。ベルト部材３０１，３０１の端部３１１，３１１はそれぞれ、切り欠き部１１０のＵ字型底部よりも下側の位置に縫い付けられる。ベルト部材３０１，３０１が電子機器Ｐ４を固定する機構は図４に示す状態に類似している。異なる点は、電子機器の幅方向中央部にベルト部材が延設されるのではなく、電子機器Ｐ４の幅方向両端付近にベルト部材３０１，３０１が延設されるという点である。収納ケース２では、電子機器Ｐ４は、ベルト部材３０１，３０１に形成される平面部３３１，３３１と蓋部２００とによって挟持されて固定される。
【００３７】
図８，９に示す構成では、幅の広い電子機器を安定して保持することができる。また、液晶画面のために切り欠き部１１０を広く設けたとしてもベルト部材２本で電子機器を固定できるため安定性を損なうことがない。
【００３８】
したがって、本発明によれば、簡単、且つ安価な構成により、様々な電子機器を容易に固定することができる収納ケースを提供することができる。
【図面の簡単な説明】
【００３９】
【図１】本発明の第一実施形態の電子機器収納ケースの正面図である。
【図２】比較的大きな電子機器を収納した場合の電子機器収納ケースの側断面図である。
【図３】比較的大きな電子機器を収納した場合の電子機器収納ケースの正面図である。
【図４】比較的小さな電子機器を収納した場合の電子機器収納ケースの正面図である。
【図５】比較的小さな電子機器を収納した場合の電子機器収納ケースの側断面図である。
【図６】さらに小型の電子機器を収納した場合の電子機器収納ケースの正面図である。
【図７】さらに小型の電子機器を収納した場合の電子機器収納ケースの側断面図である。
【図８】本発明の第二実施形態の電子機器収納ケースの正面図である。
【図９】本発明の第二実施形態の電子機器収納ケースの側断面図である。
【符号の説明】
【００４０】
１，２  収納ケース
１００  収納部
１１０  切り欠き部
１５０  フック
２００  蓋部
３００，３０１  ベルト部材
【図１】
2007209653.tif 000003
【図２】
2007209653.tif 000004
【図３】
2007209653.tif 000005
【図４】
2007209653.tif 000006
【図５】
2007209653.tif 000007
【図６】
2007209653.tif 000008
【図７】
2007209653.tif 000009
【図８】
2007209653.tif 000010
【図９】
2007209653.tif 000011